(57)【要約】【課題】撮影光軸上に配設された光学部材に付着した塵埃等の異物の除去動作を効率よく行い、電力の無駄な消費を抑制する。【解決手段】撮影レンズにより結像された被写体像を光電変換する撮像素子と、撮像素子と撮影レンズの間に配置された光透過性の光学部材と、光学部材に付着した異物を除去する異物除去装置と、撮影画面を複数の領域に分割して、それぞれの領域における被写体輝度を検出し、測光値を出力する多分割測光センサと、多分割測光センサの測光値に応じて、異物除去装置を第１の動作モードで制御するか、第１の動作モードとは動作状態の異なる第２の動作モードで制御するかを切り替え制御する制御部とを具備する。【選択図】図８
2008236670.tif 000002
【特許請求の範囲】
【請求項１】
撮影レンズにより結像された被写体像を光電変換する撮像素子と、
前記撮像素子と前記撮影レンズの間に配置された光透過性の光学部材と、
前記光学部材に付着した異物を除去する異物除去手段と、
撮影画面を複数の領域に分割して、それぞれの領域における被写体輝度を検出し、測光値を出力する多分割測光手段と、
前記多分割測光手段の測光値に応じて、前記異物除去手段を第１の動作モードで制御するか、該第１の動作モードとは動作状態の異なる第２の動作モードで制御するかを切り替えて制御する制御手段と、
を具備することを特徴とする撮像装置。
【請求項２】
前記撮像装置の撮影モードを選択する選択手段をさらに具備し、前記制御手段は、前記選択手段により選択された撮影モードと前記多分割測光手段の測光値とに応じて、前記異物除去手段を第１の動作モードで制御するか、前記第２の動作モードで制御するかを切り替えて制御することを特徴とする請求項１に記載の撮像装置。
【請求項３】
前記制御手段は、前記多分割測光手段の各領域毎の測光値と予め定められた値とを比較し、該予め定められた値よりも大きい測光値を示す領域が撮影画面内に予め定められた数だけ連続的に存在する場合に、前記異物除去手段を前記第１の動作モードで制御することを特徴とする請求項１に記載の撮像装置。
【請求項４】
前記第１の動作モードは前記異物除去手段を駆動させるように制御する動作モードであり、前記第２の動作モードは前記異物除去手段を駆動させないように制御する動作モードであることを特徴とする請求項１乃至３のいずれか１項に記載の撮像装置。
【請求項５】
前記第２の動作モードは、前記異物除去手段を予め定められた時間だけ駆動させる動作モードであり、前記第１の動作モードは、前記異物除去手段を前記予め定められた時間よりも長い時間だけ駆動させる動作モードであることを特徴とする請求項１乃至３のいずれか１項に記載の撮像装置。
【請求項６】
前記撮像装置の撮像動作を指示する指示手段をさらに具備し、該指示手段が操作される毎に、前記制御手段は、前記多分割測光手段の測光値に応じて、前記異物除去手段を第１の動作モードで制御するか、前記第２の動作モードで制御するかを制御することを特徴とする請求項１に記載の撮像装置。
【請求項７】
前記多分割測光手段は、撮影光軸外に配設された測光センサーを用いて被写体輝度の検出を行う測光手段であることを特徴とする請求項１に記載の撮像装置。
【請求項８】
前記多分割測光手段は、前記撮像素子から得られる画像信号に基づいて被写体輝度の検出を行う測光手段であることを特徴とする請求項１に記載の撮像装置。
【請求項９】
前記異物除去手段は、前記光学部材を振動させることにより、該光学部材に付着した異物を除去することを特徴とする請求項１に記載の撮像装置。
【請求項１０】
前記異物除去手段は、前記光学部材の表面を掃くことにより、該光学部材に付着した異物を除去することを特徴とする請求項１に記載の撮像装置。
【請求項１１】
前記異物除去手段は、前記光学部材の表面を静電吸引することにより、該光学部材に付着した異物を除去することを特徴とする請求項１に記載の撮像装置。
【請求項１２】
撮影レンズにより結像された被写体像を光電変換する撮像素子と、前記撮像素子と前記撮影レンズの間に配置された光透過性の光学部材と、前記光学部材に付着した異物を除去する異物除去手段と、撮影画面を複数の領域に分割して、それぞれの領域における被写体輝度を検出し、測光値を出力する多分割測光手段と、を備える撮像装置を制御する方法であって、
前記多分割測光手段の測光値に応じて、前記異物除去手段を第１の動作モードで制御するか、該第１の動作モードとは動作状態の異なる第２の動作モードで制御するかを切り替えて制御する制御工程を具備することを特徴とする撮像装置の制御方法。
【請求項１３】
請求項１２に記載の制御方法をコンピュータに実行させるためのプログラム。
【請求項１４】
請求項１３に記載のプログラムを記憶したコンピュータ読み取り可能な記憶媒体。
【発明の詳細な説明】
【技術分野】
【０００１】
本発明は、デジタルカメラ等の撮像装置における、撮影光軸上に配設された光学部材に付着した塵埃等の異物を除去する技術に関するものである。
【背景技術】
【０００２】
被写体像を電気信号に変換して撮像するデジタルカメラ等の撮像装置では、撮影光束を撮像素子で受光し、その撮像素子から出力される光電変換信号を画像データに変換して、メモリカード等の記録媒体に記録する。撮像素子としては、ＣＣＤ（Ｃｈａｒｇｅ  Ｃｏｕｐｌｅｄ  Ｄｅｖｉｃｅ）やＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【０００３】
このような撮像装置では、撮像素子の被写体側に、光学ローパスフィルタや赤外線カットフィルタが配置されており、これらのフィルタの表面に塵埃等の異物が付着すると、その付着部分が黒い点となって撮影画像に写り込み、画像の見栄えが低下する。
【０００４】
特にレンズ交換可能な一眼レフデジタルカメラでは、シャッタやクイックリターンミラーといった機械的な作動部が、撮像素子の近傍に配置されており、それらの作動部から発生した塵埃等の異物が、撮像素子やローパスフィルタに付着することがある。また、レンズ交換時に、レンズマウントの開口から塵埃等の異物がカメラ本体内に入り込み、これが付着することもある。このような現象を回避するために、特許文献１のように、撮像素子の被写体側に撮影光束を透過させる防塵幕を設け、これを圧電素子で振動させることにより、防塵幕の表面に付着した塵埃等の異物を除去する技術が提案されている。
【特許文献１】特開２００３−３１９２２２号公報
【発明の開示】
【発明が解決しようとする課題】
【０００５】
上記の手法を用いて撮影動作のたびに塵埃等の異物の除去動作を行えば、異物の影響を最も受けにくい状態で撮影を行うことができる。しかし、全ての撮影において異物除去動作を行ったり、異物除去動作を必要以上の時間をかけて行うことは、電力の無駄な消費を引き起こすことになる。
【０００６】
例えば、ユーザが塵埃等の異物の影響をほとんど受けないような状況で撮影を行う場合には、異物除去動作は無駄な動作となる。このような無駄な動作は、カメラシステムへ電力を供給する電池の電気エネルギを奪い、撮影枚数が減るなどの問題を引き起こす。
【０００７】
従って、本発明は上述した課題に鑑みてなされたものであり、その目的は、撮影光軸上に配設された光学部材に付着した塵埃等の異物の除去動作を効率よく行い、電力の無駄な消費を抑制することである。
【課題を解決するための手段】
【０００８】
上述した課題を解決し、目的を達成するために、本発明に係わる撮像装置は、撮影レンズにより結像された被写体像を光電変換する撮像素子と、前記撮像素子と前記撮影レンズの間に配置された光透過性の光学部材と、前記光学部材に付着した異物を除去する異物除去手段と、撮影画面を複数の領域に分割して、それぞれの領域における被写体輝度を検出し、測光値を出力する多分割測光手段と、前記多分割測光手段の測光値に応じて、前記異物除去手段を第１の動作モードで制御するか、該第１の動作モードとは動作状態の異なる第２の動作モードで制御するかを切り替えて制御する制御手段と、を具備することを特徴とする。
【０００９】
また、本発明に係わる撮像装置の制御方法は、撮影レンズにより結像された被写体像を光電変換する撮像素子と、前記撮像素子と前記撮影レンズの間に配置された光透過性の光学部材と、前記光学部材に付着した異物を除去する異物除去手段と、撮影画面を複数の領域に分割して、それぞれの領域における被写体輝度を検出し、測光値を出力する多分割測光手段と、を備える撮像装置を制御する方法であって、前記多分割測光手段の測光値に応じて、前記異物除去手段を第１の動作モードで制御するか、該第１の動作モードとは動作状態の異なる第２の動作モードで制御するかを切り替えて制御する制御工程を具備することを特徴とする。
【００１０】
また、本発明に係わるプログラムは、上記の制御方法をコンピュータに実行させることを特徴とする。
【００１１】
また、本発明に係わる記憶媒体は、上記のプログラムを記憶したことを特徴とする。
【発明の効果】
【００１２】
本発明によれば、撮影光軸上に配設された光学部材に付着する塵埃等の異物の除去動作を効率よく行い、電力の無駄な消費を抑制することが可能となる。
【発明を実施するための最良の形態】
【００１３】
以下、本発明の好適な実施形態について、添付図面を参照して詳細に説明する。尚、以下の実施形態は、特許請求の範囲に係る発明を限定するものではなく、また実施形態で説明されている特徴の組み合わせの全てが発明の実施に必須のものとは限らない。
【００１４】
（第１の実施形態）
＜カメラの構成＞
以下、本発明の第１の実施形態に係わる一眼レフデジタルカメラについて、図１、図２、図３を参照しながら説明する。なお、この一眼レフデジタルカメラの構成は、他の実施形態にも共通するものである。
【００１５】
図１および図２は、本実施形態に係わる一眼レフデジタルカメラの外観を示す図である。具体的には、図１はカメラ前面側から見た斜視図であって、撮影レンズユニットを外した状態を示し、図２はカメラ背面側から見た斜視図である。
【００１６】
図１において、１はカメラ本体であり、撮影時にユーザがカメラを安定して握り易いように前方に突出したグリップ部１ａが設けられている。２はマウント部であり、着脱可能な撮影レンズユニット２００ａ（図３参照）をカメラ本体に固定させる。マウント接点２１は、カメラ本体と撮影レンズユニットとの間で制御信号、状態信号、データ信号などを伝達させると共に、撮影レンズユニット側に電力を供給する機能を有する。また、マウント接点２１は電気通信のみならず、光通信、音声通信などを可能なように構成してもよい。
【００１７】
４は撮影レンズユニットを取り外す際に押し込むレンズロック解除釦である。５はカメラ筐体内に配置されたミラーボックスで、撮影レンズを通過した撮影光束はここへ導かれる。ミラーボックス５の内部には、クイックリターンミラー６が配設されている。クイックリターンミラー６は、撮影光束をペンタプリズム２２（図３参照）の方向へ導くために撮影光軸に対して４５°の角度に保持される状態と、撮像素子３３（図３参照）の方向へ導くために撮影光束から退避した位置に保持される状態とを取り得る。
【００１８】
カメラ上部のグリップ側には、撮影開始の起動スイッチとしてのシャッタボタン７と、撮影時の動作モードに応じてシャッタスピードやレンズ絞り値を設定するためのメイン操作ダイヤル８とが配置されている。また、撮影系の動作モードを設定するための動作モード設定ボタン１０も配置されている。これらの操作部材の操作結果の一部は、ＬＣＤ表示パネル９に表示される。
【００１９】
シャッタボタン７は、第１ストローク（半押し）でスイッチＳＷ１（後述の７ａ）がＯＮし、第２ストローク（全押し）でスイッチＳＷ２（後述の７ｂ）がＯＮする構成となっている。
【００２０】
また、動作モード設定ボタン１０は、シャッタボタン７の１回の押込みで連写になるか１コマのみの撮影となるかの設定や、セルフ撮影モードの設定などを行うものであり、ＬＣＤ表示パネル９にその設定状況が表示される。
【００２１】
カメラ上部中央には、カメラ本体に対してポップアップするストロボユニット１１とストロボ取付け用のシュー溝１２とストロボ接点１３が配置されており、カメラ上部右寄りには撮影モード設定ダイヤル１４が配置されている。
【００２２】
グリップに対して反対側の側面には、開閉可能な外部端子蓋１５が設けられており、この外部端子蓋１５を開けた内部には、外部インタフェースとしてビデオ信号出力用ジャック１６とＵＳＢ出力用コネクタ１７が納められている。
【００２３】
図２において、カメラ背面側には上方にファインダ接眼窓１８が設けられ、更に背面中央付近には画像表示可能なカラー液晶モニタ１９が設けられている。カラー液晶モニタ１９の横に配置されたサブ操作ダイヤル２０は、メイン操作ダイヤル８の機能の補助的役割を担い、例えばカメラのＡＥモードでは自動露出装置により算出された適正露出値に対する露出補正量を設定するために使用される。あるいは、シャッタスピードとレンズ絞り値の各々をユーザの意志によって設定するマニュアルモードにおいて、メイン操作ダイヤル８でシャッタスピードを設定し、サブ操作ダイヤル２０でレンズ絞り値を設定するように使用される。また、このサブ操作ダイヤル２０は、カラー液晶モニタ１９に表示される撮影済み画像の表示選択にも用いられる。
【００２４】
４３はカメラの動作を起動もしくは停止するためのメインスイッチである。４４はクリーニングモードを動作させるためのクリーニング指示操作部材であり、光学ローパスフィルタ上に付着したゴミをふるい落とす動作を指示するためのものである。
【００２５】
なお、クリーニングモードはクリーニングモード指示操作部材４４を用いて任意に動作させることもできるし、後述するように被写体の測光分布をもとに撮影シーンを考慮して自動で動作させることもできる。
【００２６】
図３は、本実施形態の一眼レフデジタルカメラの主要な電気的構成を示すブロック図である。なお、前述の図面と共通する部分は同じ記号で示している。
【００２７】
１００はカメラ本体に内蔵されたマイクロコンピュータからなる中央処理装置（以下、ＭＰＵという）である。ＭＰＵ１００は、カメラの動作制御を司るものであり、各要素に対して様々な処理や指示を実行する。
【００２８】
１００ａはＭＰＵ１００に内蔵されたＥＥＰＲＯＭであり、時刻計測回路１０９の計時情報やその他の情報を記憶可能である。
【００２９】
ＭＰＵ１００には、ミラー駆動部１０１、焦点検出回路１０２、シャッタ駆動回路１０３、映像信号処理回路１０４、スイッチセンス回路１０５、測光回路１０６が接続されている。また、ＬＣＤ駆動回路１０７、バッテリチェック回路１０８、時刻計測回路１０９、電源供給回路１１０、圧電素子駆動回路１１１も接続されている。これらの回路はＭＰＵの制御により動作するものである。
【００３０】
また、ＭＰＵ１００は、撮影レンズユニット２００ａ内に配置されたレンズ制御回路２０１と、マウント接点２１を介して通信を行う。マウント接点２１は撮影レンズユニット２００ａが接続されるとＭＰＵ１００へ信号を送信する機能も備えている。これにより、レンズ制御回路２０１は、ＭＰＵ１００との間で通信を行い、撮影レンズユニット２００ａ内の撮影レンズ２００および絞り２０４の駆動を、ＡＦ駆動部２０２および絞り駆動部２０３を介して行うことが可能となる。なお、本実施形態では、撮影レンズ２００を便宜上１枚のレンズで示しているが、実際は多数のレンズ群により構成されている。
【００３１】
ＡＦ駆動部２０２は、たとえばステッピングモータによって構成され、レンズ制御回路２０１の制御によって撮影レンズ２００内のフォーカスレンズの位置を変化させることにより、撮像素子３３に撮影光束の焦点を合わせるように調整する。
【００３２】
２０３は絞り駆動部であり、たとえばオートアイリスなどによって構成され、レンズ制御回路２０１によって絞り２０４の開口径を変化させ、光学的な絞り値を得るように構成されている。
【００３３】
クイックリターンミラー６は、撮影レンズ２００を通過する撮影光束をペンタプリズム２２へ導くとともに、その一部を透過させてサブミラー３０に導く。サブミラー３０は、クイックリターンミラー６を透過した撮影光束を焦点検出用センサユニット３１へ導く。
【００３４】
ミラー駆動部１０１は、クイックリターンミラー６を、ファインダにより被写体像を観察可能とする位置と、撮影光束から待避する位置とへ駆動するためのものである。同時に、サブミラー３０を、焦点検出用センサユニット３１へ撮影光束を導く位置と、撮影光束から待避する位置とへ駆動する。具体的には、たとえばＤＣモータとギヤトレインなどから構成される。
【００３５】
３１は不図示である結像面近傍に配置されたフィールドレンズ、反射ミラー、２次結像レンズ、絞り、複数のＣＣＤから成るラインセンサ等から構成されている周知の位相差検出方式の焦点検出センサユニットである。焦点検出センサユニット３１から出力された信号は、焦点検出回路１０２へ供給され、被写体像信号に変換された後ＭＰＵ１００へ送信される。ＭＰＵ１００は被写体像信号に基づいて、位相差検出法による焦点検出演算を行う。そして、デフォーカス量およびデフォーカス方向を求め、これに基づき、レンズ制御回路２０１およびＡＦ駆動部２０２を介して、撮影レンズ２００内のフォーカスレンズを合焦位置まで駆動する。
【００３６】
２２はペンタプリズムであり、クイックリターンミラー６によって反射された撮影光束を正立正像に変換反射する光学部材である。ユーザは、ファインダ光学系を介して、ファインダ接眼窓１８から被写体像を観察することができる。ペンタプリズム２２は、撮影光束の一部を測光センサ４５にも導く。測光回路１０６は、測光センサ４５の出力を得て、観察面上の各エリアの輝度信号に変換し、ＭＰＵ１００に出力する。ＭＰＵ１００は、得られる輝度信号から測光値を算出し、露出値を決定する。
【００３７】
３２は機械フォーカルプレーンシャッタであり、まず、図４に示すように、ユーザがファインダにより被写体像を観察している時には、機械フォーカルプレーンシャッタ３２のシャッタ先幕３２ａが遮光位置にあると共に、シャッタ後幕３２ｂは露光位置にある。次いで、撮影時には、図５に示すように、シャッタ先幕３２ａが遮光位置から露光位置へ移動する露光走行を行って被写体からの光を通過させ、撮像素子３３で撮像を行う。所望のシャッタ秒時の経過後、図６に示すように、シャッタ後幕３２ｂが露光位置から遮光位置へ移動する遮光走行を行って撮影を完了する。機械フォーカルプレーンシャッタ３２は、ＭＰＵ１００の指令を受けたシャッタ駆動回路１０３によって制御される。
【００３８】
３３は撮像素子で、本実施形態では、撮像デバイスであるＣＭＯＳセンサが用いられる。ただし、撮像デバイスには、ＣＣＤ型、ＣＭＯＳ型およびＣＩＤ型など様々な形態があり、何れの形態の撮像デバイスを採用してもよい。
【００３９】
３４はクランプ／ＣＤＳ（相関二重サンプリング）回路であり、Ａ／Ｄ変換する前の基本的なアナログ処理を行うとともに、クランプレベルの変更も可能である。３５はＡＧＣ回路（自動利得調整装置）であり、Ａ／Ｄ変換する前の基本的なアナログ処理を行うとともに、ＡＧＣ基本レベルの変更も可能である。３６はＡ／Ｄ変換器であり、撮像素子３３のアナログ出力信号をデジタル信号に変換する。
【００４０】
４１０は光学ローパスフィルタで、水晶からなる複屈折板および位相板を複数枚貼り合わせて積層し、更に赤外カットフィルタを貼り合わせて構成されている。
【００４１】
４３０は積層型の圧電素子であり、ＭＰＵ１００の指令を受けた圧電素子駆動回路１１１により加振され、その振動を光学ローパスフィルタ４１０に伝えるように構成されている。
【００４２】
４００は、光学ローパスフィルタ４１０、圧電素子４３０、撮像素子３３を、後述する他の部品と共にユニット化した撮像ユニットであり、詳細な構成については後述する。
【００４３】
１０４は映像信号処理回路であり、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１１２を介してカラー液晶モニタ１９に表示される。また、映像信号処理回路１０４は、ＭＰＵ１００の指示により、メモリコントローラ３８を通じて、バッファメモリ３７に画像データを保存することも可能である。更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像データを順次読み出すことも可能である。これにより映像信号処理回路１０４は、Ａ／Ｄ変換器３６から入力されてくる画像データの速度に関わらず、画像処理や圧縮処理を順次行うことが可能となる。
【００４４】
メモリコントローラ３８は、外部インタフェース４０（図１におけるビデオ信号出力用ジャック１６およびＵＳＢ出力用コネクタ１７が相当する）から入力される画像データをメモリ３９に記憶する機能を有する。また、メモリ３９に記憶されている画像データを外部インタフェース４０から出力する機能も有する。なお、メモリ３９は、カメラ本体に対して着脱可能なフラッシュメモリなどである。
【００４５】
１０５はスイッチセンス回路であり、各スイッチの操作状態に応じて入力信号をＭＰＵ１００に送信する。７ａは、レリーズボタン７の第１ストローク（半押し）によりオンするスイッチＳＷ１である。７ｂは、レリーズボタン７の第２ストローク（全押し）によりオンするスイッチＳＷ２である。スイッチＳＷ２がオンされると、撮影開始の指示がＭＰＵ１００に送信される。
【００４６】
また、ＭＰＵ１００には、メイン操作ダイヤル８、サブ操作ダイヤル２０、撮影モード設定ダイヤル１４、メインスイッチ４３、クリーニング指示操作部材４４が接続されている。
【００４７】
１０７はＬＣＤ駆動回路であり、ＭＰＵ１００の指示に従って、ＬＣＤ表示パネル９やファインダ内液晶表示装置４１を駆動する。
【００４８】
１０８はバッテリチェック回路であり、ＭＰＵ１００からの信号に従って、所定時間バッテリチェックを行い、その検出出力をＭＰＵ１００へ送る。
【００４９】
４２は電源部であり、カメラの各要素に対して、必要な電源を供給する。
【００５０】
１０９は時刻計測回路でメインスイッチ４３がＯＦＦされて次にＯＮされるまでの時間や日付を計測し、ＭＰＵ１００からの指令により、計測結果をＭＰＵ１００へ送信することができる。
【００５１】
＜加振装置の構成＞
次に、本実施形態における光学ローパスフィルタ４１０を加振する構成について図７を参照して説明する。
【００５２】
図７は、光学ローパスフィルタ及び撮像素子周りの構成を示す分解斜視図である。
【００５３】
まず、４２０は、樹脂または金属製の光学ローパスフィルタ保持部材である。圧電素子４３０は、電圧印加による伸縮方向が光軸と直交する方向（カメラ天地方向）となるように保持されている。圧電素子４３０は光学ローパスフィルタ保持部材４２０とは接着されていてもいなくても良いが、光学ローパスフィルタ４１０とは接着させない。光学ローパスフィルタ４１０の一端は圧電素子４３０と当接し、対向する一端は付勢部材４４０と当接する。付勢部材４４０は、光学ローパスフィルタ４１０の運動が圧電素子４３０の伸縮運動に追随するように、光学ローパスフィルタ４１０を圧電素子４３０に対して光軸と略直交する方向に付勢する。付勢部材４４０は弾性体であれば、金属によって形成される板バネやコイルバネを用いてもよいし、ゴムやプラスチックなどの高分子重合体を用いてもよい。
【００５４】
次に４６０は、光学ローパスフィルタ４１０を光軸方向に光学ローパスフィルタ保持部材４２０との間で挟み込むように位置規制する板状の規制部材であり、周囲を光学ローパスフィルタ保持部材４２０に引掛けるように固定される。上述してきたように光学ローパスフィルタ保持部材４２０に対して、光学ローパスフィルタ４１０を圧電素子４３０と付勢部材４４０とでサンドイッチするように振動自在に保持する。また、光学ローパスフィルタ４１０の外周部を枠状の弾性部材４５０で振動自在に密閉し、規制部材４６０で光学ローパスフィルタ４１０の光軸方向の位置を規制する。これらの構成により、光学ローパスフィルタ保持ユニット４７０を構成する。
【００５５】
なお、光学ローパスフィルタ保持ユニット４７０の光学ローパスフィルタ保持部材４２０は、弾性を有するゴムシート５２０を挟み込んだ状態で、撮像素子保持ユニット５００の撮像素子保持部材５１０に段ビス５３０で結合される。
【００５６】
次に、上記のように構成される加振装置の動作について説明する。
【００５７】
光学ローパスフィルタ保持部材４２０に収納されている圧電素子４３０にＭＰＵ１００が所定の周期電圧を印加すると、圧電素子４３０は光軸と略直交する方向（カメラ天地方向）に振動する。光学ローパスフィルタ４１０は圧電素子４３０と付勢部材４４０とで略同一平面内方向で挟み込むように配置されている。したがって、光学ローパスフィルタ４１０は、圧電素子４３０に密着した状態で保持され、圧電素子４３０の振動により圧電素子４３０の振動方向と略平行な方向かつ光軸と略直交する方向（カメラ天地方向）に加振される。
【００５８】
なお、本実施形態では、上述のとおり光学ローパスフィルタ保持部材４２０と撮像素子３３との間がゴムシート５２０で封止されている。また、光学ローパスフィルタ４１０と光学ローパスフィルタ保持部材４２０との間が圧電素子４３０と弾性部材４５０とで封止されている。そのため、光学ローパスフィルタ４１０と撮像素子３３の間の空間は、塵埃等の異物が侵入しないような密閉空間となっている。
【００５９】
また、光学ローパスフィルタ保持ユニット４７０の振動は、ゴムシート５２０によって吸収され撮像素子３３にほとんど伝わらない。この構成により、圧電素子４３０が振動しても、撮像素子３３はほとんど振動せずに光学ローパスフィルタ４１０のみが振動することとなり、被振動物の質量を小さくでき、より少ないエネルギで光学ローパスフィルタ４１０を加振することが可能となる。
【００６０】
＜カメラの動作＞
次に、図８は、本実施形態の一眼レフデジタルカメラの全体動作を示すフローチャートである。
【００６１】
図８において、一眼レフデジタルカメラの電源がＯＮになると（ステップＳ１でＹＥＳ）、光学ファインダモードか否かを判別する（ステップＳ２）。光学ファインダモードであるときは（ステップＳ２でＹＥＳ）、以下に説明するステップＳ３〜Ｓ１７の処理を実行する。電子ファインダモードである場合（ステップＳ２でＮＯ）については、後に詳しく説明する。
【００６２】
光学ファインダモードにおいて、まず、シャッタボタン７の第１ストローク（半押し）でＳＷ１がＯＮされたならば（ステップＳ３）、被写体からの光を測光センサ４５で測光する（ステップＳ４）。そして、測光した輝度値を表わす出力電圧をデジタル信号に変換し、ＭＰＵ１００でシャッタ秒時と絞り２０４の絞り値とを計算する（ステップＳ５）。
【００６３】
次いで、焦点検出センサを用いて、被写体のデフォーカス量およびデフォーカス方向を求め、これに基づき、レンズ制御回路２０１およびＡＦ駆動部２０２を介して、撮影レンズ２００内のフォーカスレンズを合焦位置まで駆動する（ステップＳ６）。
【００６４】
シャッタボタン７の第２ストローク（全押し）でＳＷ２がＯＮされたか否か、つまり撮影を開始するか否かを判別し（ステップＳ７）、開始するときは、ステップＳ９へ進む。
【００６５】
ステップＳ９では、カメラの異物除去動作をオートで行う設定になっているかマニュアルで行う設定になっているかの判定を行い、オートで行うのならばステップＳ１０へ進み、マニュアルで行うのならばステップＳ１１へ進む。
【００６６】
ステップＳ１０では、被写体の測光分布をもとに撮影シーンを判定して異物除去動作を行う。判定方法の詳細については後述する。そして、図５に示すようにクイックリターンミラー６を跳上げ（ステップＳ１１）、続くステップＳ１２では、シャッタ先幕３２ａが開く方向に走行して、撮像素子３３で撮像を行う（ステップＳ１３）。そして、シャッタ秒時の経過後、図６に示すようにシャッタ後幕３２ｂが閉じる方向に走行して、被写体からの光を遮光する（ステップＳ１４）。シャッタ後幕３２ｂが閉じる方向に走行することによりスミアニングを防止することができる。その後、クイックリターンミラー６を下げて（ステップＳ１５）、１回の撮影処理を終了する。
【００６７】
次いで絞り２０４を開き、ステップＳ１３で撮像した画像を読出し、処理して、記録し、撮影した静止画をカラー液晶モニタ１９に表示する（ステップＳ１６）。
【００６８】
更に、シャッタ先幕３２ａを閉じる方向にチャージすると共に、シャッタ後幕３２ｂを開く方向にチャージした後（ステップＳ１７）、ステップＳ３の光学ファインダモード選択後の処理に戻る。
【００６９】
また、ステップＳ７の判別の結果、撮影を開始しないときは、光学ファインダモードを続行するか否かを判別し（ステップＳ８）、続行する場合は、ステップＳ３〜Ｓ７の処理を繰り返す。一方、ステップＳ８の判別の結果、光学ファインダモードを続行しないときは、光学ファインダモードを解除したと判断して、ステップＳ２の処理に戻り、それ以降の処理を繰り返す。
【００７０】
＜異物除去動作の判別＞
次に、図９、図１０を用いて、図８のステップＳ１０の異物除去動作の判定方法について説明する。
【００７１】
図９は異物除去動作の判定方法を示すフローチャートであり、図１０は画面を例えば４５個の測光エリアに分割した様子を示す図である。なお、この分割された各測光エリアは、多分割測光センサ４５の各分割測光エリアに対応するものである。
【００７２】
測光回路１０６は、多分割測光センサ４５の出力値を、図１０のように観察面上の分割された各測光エリア７１の輝度値に変換し、ＭＰＵ１００に出力する。ＭＰＵ１００は各輝度値から測光値を算出し、Ｅｘ（ｘ＝１〜４５）という名前で４５個のデータをそれぞれＭＰＵ１００内のＲＡＭ（ランダムアクセスメモリ）に格納する（図８のステップＳ４）。そして、ＭＰＵ１００は、図９のステップＳ１０１では、各エリアの測光値の平均値ＡｖｅＥを以下のように計算する。
【００７３】
ＡｖｅＥ＝Ａｖｅ（Ｅｘ）    （ｘ＝１〜４５）
そして、各測光値Ｅｘがその平均値ＡｖｅＥより大きいか否か判別し、
Ｅｘ＞ＡｖｅＥ    （ｘ＝１〜４５）
の条件を満たすならステップＳ１０２へ進み、それ以外ならステップＳ１１へ進む。ここでは平均測光値を用いたが、それ以外の値でもよい。例えば、分割された測光エリア７１の中央エリア７１ａの測光値でもよいし、主要被写体の測光値でもよいし、合焦された測距点に対応した測光エリアの測光値を用いてもよいし、これらを組み合わせた値でもよい。また、測距点を複数備えた多点ＡＦ機能を有するカメラにおいては、測光エリアごとの測光値すべてを比較する必要は無く、主要な合焦点以外の測距点での測距により無限遠と認識されないエリアの測光値は、比較の対象から外してもよい。これは、主要被写体ではなく、背景の測光値を比較・判別したいという考えに基づいている。
【００７４】
ステップＳ１０２では、ステップＳ１０１で条件を満たした測光エリア数が１０以上あり、かつそのエリアが連続的に存在しているか否かを判別し、連続して１０以上のエリアが存在するならステップＳ１０３へ進み、それ以外ならステップＳ１１へ進む。なお、このステップＳ１１とは、図８におけるステップＳ１１を意味する。
【００７５】
エリア数が１０以上であるとは、平均測光値より大きい測光値となる被写体が画面内の略１／４以上を占めているということである。なお、分割された測光エリア数の大小により、しきい値としてのエリア数は１０より大きくてもよいし、小さくてもよい。
【００７６】
ステップＳ１０３では、ステップＳ１０１で条件を満たした測光エリア数ｎ（ここではしきい値を上記のように１０としているのでｎは１０以上の整数）において、各測光値Ｅｘの比較を行う。そして、それらの差の全てがＥｖ２以下であるか否かを以下のように判別する。
【００７７】
｜Ｅｘｉ−Ｅｘｊ｜≦Ｅｖ２    （ｉ＝１〜ｎ、ｊ＝１〜ｎ）
ここで、Ｅｘｉ、Ｅｘｊは、各エリアの測光値Ｅｘにｉ、ｊという番号を付けて区別したものである。
【００７８】
これらの差がすべてＥｖ２以下であるならばステップＳ１０４へ進み、それ以外ならステップＳ１１へ進む。言換えれば、ステップＳ１０２の条件を満たした各エリアが、ほぼ同一の輝度である否かを判断している。
【００７９】
ステップＳ１０４では、これまで述べてきたように光学ローパスフィルタ４１０を振動させて異物除去動作を行う。よって、以上のステップを踏むことで、互いに輝度差のほとんどない高輝度のエリアが連続して存在する被写体を撮影する際、異物除去動作を行うこととなる。
【００８０】
具体的には、図１１のように風景の「空」を表す部分（図中太枠線内）や、図１２のように人物の背景の「家の白壁」を表す部分（図中太枠線内）などが被写体に存在する場合、異物除去動作を行う条件を満たし、異物除去動作が自動的に行われる。即ち、撮影時に、ＳＷ２のＯＮ後、撮影動作を行う前に、異物除去動作を行う。
【００８１】
上述したように、塵埃等の異物が目立つ画像、つまり輝度が高く、かつ一様な画像（例えば、空の景色や白い壁など）の撮影時のみに自動的に異物除去動作を行うので、電力を無駄に消費することなく、異物の影響のない撮影を行うことが出来る。
【００８２】
＜電子ファインダモードでの動作＞
次に、図８のフローチャートにおいて、電子ファインダモードである場合（ステップＳ２でＮＯ）について詳しく説明する。
【００８３】
図１３は、本実施形態の一眼レフデジタルカメラにおける電子ファインダモードを示す概略断面図である。
【００８４】
クイックリターンミラー６は、常時、撮影光束を撮像素子３３の方向へ導くために撮影光束から退避した位置にあると共に、シャッタ先幕３２ａ及びシャッタ後幕３２ｂは共に開いた位置にあり、常時撮像を行う電子ファインダ表示が行われている。
【００８５】
ユーザは、ファインダ光学系を介して、ファインダ接眼窓１８から被写体像を観察することはできない。
【００８６】
撮影時は、まず、シャッタ先幕３２ａが開いた位置から閉じた位置へ移動する遮光チャージを行い、再びシャッタ先幕３２ａが開く方向に走行し、次いで、シャッタ秒時の経過後、シャッタ後幕３２ｂが閉じる方向に走行して撮影を完了する。そして、次の電子ファインダ動作のために、常時撮像を行うべくシャッタ後幕３２ｂのみが閉じた位置から開いた位置に移動する露光チャージを行う。
【００８７】
次に、図１４のフローチャートを参照して、電子ファインダモードにおけるカメラの全体動作について説明する。
【００８８】
図８のステップＳ２の判別の結果、光学ファインダモードでないとき、即ち電子ファインダモードであるときは、図１４におけるステップＳ１８〜Ｓ３５の処理により電子ファインダモードの処理を実行する。
【００８９】
電子ファインダモードにおいて、まず、クイックリターンミラー６を跳上げ（ステップＳ１８）、シャッタ先幕３２ａを開く方向に走行させた後、撮像素子３３で静止画の撮像を行い、シャッタ後幕３２ｂを閉じる方向に走行させる（ステップＳ１９）。
【００９０】
ステップＳ１９で撮像した画像を読出し、処理して、記録し、撮像した静止画をカラー液晶モニタ１９に一定時間表示する（ステップＳ２０）。これにより、ユーザは構図等の確認を行うことができる。このとき、静止画から測光を行い（ステップＳ２１）、ＭＰＵ１００でシャッタ秒時と絞り２０４の絞り値とを計算する（ステップＳ２２）。
【００９１】
次いで、シャッタ後幕３２ｂのみを開く方向にチャージし（ステップＳ２３）、図１３に示すように、撮像素子３３で撮像を常時行い、動画を表示する（ステップＳ２４）。
【００９２】
続くステップＳ２５では、撮影を開始するか否かを判別し、開始するときは、ステップＳ２６へ進む。
【００９３】
ステップＳ２６では、カメラの異物除去動作をオートで行う設定になっているかマニュアルで行う設定になっているかの判定を行い、オートで行うのならばステップＳ２７へ進み、マニュアルで行うのならばステップＳ２８へ進む。
【００９４】
ステップＳ２７では、被写体の測光分布をもとに撮影シーンを判定して異物除去動作を行う。判定方法の詳細については後述する。
【００９５】
その後、シャッタ先幕３２ａを閉じる方向にチャージし（ステップＳ２８）、シャッタ先幕３２ａを開く方向に走行させて（ステップＳ２９）、撮像素子３３で静止画の撮像を行う（ステップＳ３０）。そして、シャッタ秒時の経過後、シャッタ後幕３２ｂを閉じる方向に走行させる（ステップＳ３１）。
【００９６】
ステップＳ３０で撮像した画像を読出し、処理して、記録し、撮影した静止画をカラー液晶モニタ１９に一定時間表示し（ステップＳ３２）、ステップＳ２３以降の処理に戻る。
【００９７】
ステップＳ２５での判別の結果、撮影を開始しないときは、電子ファインダモードを続行するか否かを判別し（ステップＳ３３）、続行するときは、ステップＳ２４〜Ｓ２５の処理を繰り返す。
【００９８】
ステップＳ３３の判別の結果、電子ファインダモードを続行しないときは、電子ファインダによる撮影モードを解除したと判断する。そして、クイックリターンミラー６を下げた後（ステップＳ３４）、シャッタ先幕３２ａを閉じる方向にチャージし（ステップＳ３５）、図８のステップＳ２の処理に戻り、それ以降の処理を繰り返す。
【００９９】
＜異物除去動作の判別＞
次に、図１５を参照して、図１４のステップＳ２７の異物除去動作の判定方法について説明する。図１５は異物除去動作の判定方法を示すフローチャートである。
【０１００】
映像信号処理回路１０４は、撮像素子３３からクランプ／ＣＤＳ回路３４、ＡＧＣ回路３５、Ａ／Ｄ変換器３６の処理を通して得られたデジタル化された画像信号を、ＭＰＵ１００に出力する。
【０１０１】
ＭＰＵ１００は、例えば図１０のように観察画面を４５個のエリアに分割し、得られた画像信号を分割した各エリア７１の輝度値に変換する。そしてＭＰＵ１００は各輝度値から測光値を算出し、Ｅｘ（ｘ＝１〜４５）という名前で４５個のデータをそれぞれＭＰＵ１００内のＲＡＭ（ランダムアクセスメモリ）に格納する（図１４のステップＳ２１）。
【０１０２】
その後のＭＵＰ１００が行うステップＳ１１１〜Ｓ１１４は、これまでに述べたステップＳ１０１〜Ｓ１０４と同じである。つまり、ステップＳ１１１において、各エリアの測光値の平均値ＡｖｅＥと各測光値Ｅｘとを比較し、測光値Ｅｘが大きければステップＳ１１２へ進み、それ以外ならステップＳ２８へ進む。ここでは平均測光値を用いたが、それ以外の値でもよい。例えば、分割されたエリア７１の中央エリア７１ａの測光値でもよいし、主要被写体の測光値でもよいし、合焦された測距点に対応したエリアの測光値でもよいし、これらを組み合わせた値でもよい。また、測距点を複数備えた多点ＡＦ機能を有するカメラにおいては、エリアごとの測光値すべてを比較する必要は無く、主要な合焦点以外の測距点での測距により無限遠と認識されないエリアの測光値は、比較の対象から外してもよい。
【０１０３】
ステップＳ１１２において、ステップＳ１１１で条件を満たしたエリア数が１０以上あり、かつそのエリアが連続的に存在しているか否かを判別し、条件を満たすならステップＳ１１３へ進み、それ以外なら図１４のステップＳ２８へ進む。
【０１０４】
ステップＳ１１３において、ステップＳ１１１で条件を満たした全てのエリア同士の測光値の比較を行い、それらの差の全てがＥｖ２以下であるならステップＳ１１４へ進み、それ以外ならステップＳ２８へ進む。
【０１０５】
ステップＳ１１４では、これまで述べてきた光学ローパスフィルタ４１０を振動させて異物除去動作を行う。
【０１０６】
（第２の実施形態）
この第２の実施形態では、第１の実施形態で説明したように測光分布に基づいて異物除去動作を行うか否かを判断するのではなく、測光分布に基づいて異物除去動作の作動時間を変える。その他は第１の実施形態と同様である。
【０１０７】
図１６は、第２の実施形態における異物除去動作の判定方法を示すフローチャートである。
【０１０８】
まず、ステップＳ１２１〜ステップＳ１２３では、図９のステップＳ１０１〜ステップＳ１０３または図１５のステップＳ１１１〜ステップＳ１１３と同様の判定を行い、全ての条件を満たすならばステップＳ１２４へ進む。また、各ステップで条件を満たさなければステップＳ１２５へ進む。
【０１０９】
ステップＳ１２４では、これまで述べてきた光学ローパスフィルタ４１０を振動させる異物除去動作を通常作動時間よりも長い１秒間行う。
【０１１０】
ステップＳ１２５では、異物除去動作を通常作動時間の０.５秒間行う。
【０１１１】
ステップＳ１２４、ステップＳ１２５の後は、撮影動作に移行する。
【０１１２】
このように、塵埃等の異物が目立つ画像、つまり輝度が高く、かつ一様な画像（例えば、空の景色や白い壁など）の撮影時のみに異物除去動作を通常よりも長く行うことにより、電力を無駄に消費することなく、異物の影響のない撮影を行うことが出来る。
【０１１３】
ここで、異物除去動作の通常作動時間を０.５秒と設定したが、電力量や異物除去率、異物除去方法などを考慮した最適値であれば、０.５秒より長くても短くても良い。また、異物除去動作の通常より長い作動時間を通常作動時間の２倍と設定したが、これも電力量や異物除去率、異物除去方法などを考慮した最適値であれば、２倍より大きくても小さくても良い。また、輝度が高い画像であればあるほど、画像に対して異物が目立ちやすくなることを考慮すると、ステップＳ１２１のしきい値である所定値（例えば、測光平均値）に段階を設けてもよい。即ち、所定値が大きければ大きい程、つまり輝度のより高い被写体の撮影であればあるほど、異物除去の作動時間も段階的に長くなるように設定してもよい。
【０１１４】
また、これまでは異物除去駆動時間の長さについて述べたが、異物の目立つ撮影の際に、異物除去駆動回数を通常よりも増やすようにしてもよい。
【０１１５】
（第３の実施形態）
この第３の実施形態では、第１の実施形態で述べたように測光分布に基づいて異物除去動作を行うか否かを判断するのではなく、撮影シーンと測光分布に基づいて異物除去動作を行うか否かを判断する。その他は第１の実施形態と同様である。
【０１１６】
図１７は、第３の実施形態における異物除去動作の判定方法を示すフローチャートである。
【０１１７】
まず、ステップＳ１３５において、ＭＰＵ１００は撮影モード設定ダイヤル１４により設定された撮影モードが「風景モード」か否かの判別を行い、条件を満たすならステップＳ１３１へ進み、それ以外なら異物除去動作を行わず撮影動作に入る。なお、「風景モード」とは広がりのある風景や夜景などを撮るようなときに使用する撮影モードのことである。
【０１１８】
ステップＳ１３１〜ステップＳ１３３は、これまで述べてきた測光分布の判別と同様であり、全ての条件を満たすならばステップＳ１３４へ進み、各ステップで条件を満たさなければ異物除去動作を行わず撮影動作に入る。
【０１１９】
ステップＳ１３４では、これまで述べてきた光学ローパスフィルタ４１０を振動させる異物除去動作を行う。
【０１２０】
ここで、ステップＳ１３５において撮影モード判別のパラメータとして「風景モード」を取り上げたのは、以下のような理由である。
【０１２１】
即ち、「風景モード」で撮影する場合、被写体は動かないものであることが多いので、撮影の際、異物除去動作を行ったとしても、シャッターチャンスを逃がしてしまうことがなく、異物除去動作を行ってもよいと考えられるからである。
【０１２２】
一方、その逆の観点から、動きの速い被写体の瞬間をとらえた写真を撮るようなときに使用する「スポーツモード」が撮影モードとして設定されているなら異物除去動作は行わないこととしてもよい。そして、それ以外の撮影モードならこれまで述べた測光分布に基づた異物除去動作を行う。これは、「スポーツモード」が選択されている時は、撮影の際、異物除去動作を行うと、せっかくのシャッターチャンスを逃してしまう恐れがあるので、異物除去動作は行わない方がよいと考えられるからである。
【０１２３】
（第４の実施形態）
この第４の実施形態では、第２の実施形態で述べたように測光分布に基づいて異物除去動作の作動時間を変えるのではなく、撮影シーンと測光分布に基づいて異物除去動作の作動時間を変える。その他は第２の実施形態と同様である。
【０１２４】
図１８は、第４の実施形態における異物除去動作の判定方法を示すフローチャートである。
【０１２５】
まず、ステップＳ１４５において、ＭＰＵ１００は撮影モード設定ダイヤル１４にて設定された撮影モードが「風景モード」か否かの判別を行い、条件を満たすならステップＳ１４１へ進み、それ以外ならステップＳ１４６へ進む。
【０１２６】
ステップＳ１４１〜ステップＳ１４３は、これまで述べてきた測光分布の判別と同様であり、全ての条件を満たすならばステップＳ１４４へ進み、各ステップで条件を満たさなければステップＳ１４６へ進む。
【０１２７】
ステップＳ１４４では、図１６のステップＳ１２４の処理と同様で、異物除去動作を通常作動時間よりも長い１秒間行う。
【０１２８】
ステップＳ１４６では図１６のステップＳ１２５の処理と同様で、異物除去動作を通常作動時間の０.５秒間行う。ステップＳ１４４、ステップＳ１４６の後は、撮影動作に移る。
【０１２９】
こうすることによって、「風景モード」で撮影を行う際はシャッターチャンスを逃がしてしまう状況は少ないので、異物除去動作を通常よりも長い時間行って、異物の影響のより少ない撮影を行うことが出来る。
【０１３０】
また、これまでに述べたように、「風景モード」ではなく「スポーツモード」が撮影モードとして選択されているなら、シャッターチャンスが厳しいという観点から、異物除去を通常時間駆動するものとしても良い。即ち、通常よりも長い時間の駆動は行わないようにしてもよい。
【０１３１】
（第５の実施形態）
図１９、図２０を参照して、光学ローパスフィルタ上に付着した塵埃等の異物を除去する装置の別の形態について説明する。
【０１３２】
撮像部６００は、光透過性の光学素子６１１と、光学素子６１１を保持する保持部材６１２と、固体撮像素子６１３ｂと固体撮像素子６１３ｂを保護するための光透過性のカバー部材６１３ａとで構成された固体撮像装置６１３とを備えている。また、固体撮像装置６１３のカバー部材６１３ａと光学素子６１１との間を密封するためのシール部材６１４を備えている。なお、光学素子６１１は、具体的には光学ローパスフィルタである。
【０１３３】
次に、６２１は不図示の駆動ユニットに連結され、光学素子６１１の表面に平行に図中矢印Ａの方向に走行可能なレバーであり、耐磨耗性繊維６２２（例えば、東洋紡社製ダイニーマ）を備える。そして、耐磨耗性繊維６２２が清掃用ブラシとなっている。６２３は光学素子６１１に付着している異物である。ここで、耐磨耗性繊維６２２は光学素子６１１に接触するように長さが調整されている。
【０１３４】
まず、レバー６２１は図中上方に位置しており、異物除去（クリーニングモード）の動作が開始されると下方に走査され、耐磨耗性繊維６２２も下方に走行する。そして、耐磨耗性繊維６２２が接触しながら下方に走行することで、光学素子６１１の表面に付着していた異物６２３が払い落とされることになる。そして、光学素子６１１の表面を下方に走査した後、上方の元の位置に復帰する。
【０１３５】
（第６の実施形態）
図２１、図２２を参照して、光学ローパスフィルタ上に付着した塵埃等の異物を除去する装置のさらに別の形態について説明する。
【０１３６】
撮像部７００は、光透過性の光学素子７１１と、光学素子７１１を保持する保持部材７１２と、固体撮像素子７１３ｂと固体撮像素子７１３ｂを保護するための光透過性のカバー部材７１３ａとで構成された固体撮像装置７１３とを備えている。また、固体撮像装置７１３のカバー部材７１３ａと光学素子７１１との間を密封するためのシール部材７１４を備えている。なお、光学素子７１１は、具体的には光学ローパスフィルタである。
【０１３７】
次に、７２１は光学素子７１１の表面に平行に図中矢印Ａの方向に走行可能なポリイミド等の絶縁体であり、不図示のコイルによって帯電状態及び除電状態に切り替る。７２３は光学素子７１１に付着している異物である。
【０１３８】
まず、絶縁体７２１は図中上方に位置しており、クリーニングモードの動作が開始されると、不図示のコイルに所定の電圧が印加されて絶縁体７２１は帯電し、下方に走査される。すると、絶縁体７２１は帯電しているので、光学素子７１１の表面に帯電した異物７２３が付着していた場合は、お互いに帯電している異物７２３と絶縁体７２１との間で静電気力が発生する。異物７２３は光学素子７１１の表面との付着力に抗してこの静電気力（静電吸着）によって、絶縁体７２１に引き寄せられる。そして、静電気力によって絶縁体７２１に引き寄せられた異物７２３は、絶縁体７２１の表面に留まる。
【０１３９】
絶縁体７２１が下方への走査を終了すると、不図示のコイルにより帯電させた時とは逆の電圧を印加する。すると絶縁体７２１が除電される。この除電操作により、静電気力で絶縁体７２１の表面に付着していた異物７２３は、重力により絶縁体７２１の表面から離れて、落下する。その後、絶縁体７２１は上方の元の位置に復帰する。
【０１４０】
これまでに述べたいずれの実施形態においても、塵埃等の異物が目立つ画像、つまり輝度が高く、かつ一様な画像（例えば、空の景色や白い壁など）の撮影時に異物除去動作を効率的に行うことができる。そのため、ユーザーは電力を無駄に消費することなく、異物の影響のない撮影を行うことが出来る。
【０１４１】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【０１４２】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【０１４３】
本発明を上記記憶媒体に適用する場合、その記憶媒体には、先に説明した手順に対応するプログラムコードが格納されることになる。
【図面の簡単な説明】
【０１４４】
【図１】本発明の第１の実施形態に係わる一眼レフデジタルカメラの前面斜視図である。
【図２】本発明の第１の実施形態に係わる一眼レフデジタルカメラの背面斜視図である。
【図３】一眼レフデジタルカメラの電気的構成を示すブロック図である。
【図４】一眼レフデジタルカメラの概略断面図であり、光学ファインダモードにおける撮影動作前の状態を示す図である。
【図５】一眼レフデジタルカメラの概略断面図であり、光学ファインダモードにおける撮像中の状態を示す図である。
【図６】一眼レフデジタルカメラの概略断面図であり、光学ファインダモードにおける撮像終了時の状態を示す図である。
【図７】光学ローパスフィルタ及び撮像素子周りの構成を示す分解斜視図である。
【図８】一眼レフデジタルカメラによって実行される撮影処理のフローチャートである。
【図９】第１の実施形態における異物除去動作の判定方法を示すフローチャートである。
【図１０】画面を例えば４５個の測光エリアに分割した様子を示す図である。
【図１１】測光分布に基づく異物除去動作判別の撮影画面の具体例を示す図である。
【図１２】測光分布に基づく異物除去動作判別の撮影画面の具体例を示す図である。
【図１３】一眼レフデジタルカメラの概略断面図であり、電子ファインダモードにおける撮影動作前の状態を示す図である。
【図１４】一眼レフデジタルカメラによって実行される電子ファインダを用いた撮影処理のフローチャートである。
【図１５】異物除去動作の判定方法を示すフローチャートである。
【図１６】第２の実施形態における異物除去動作の判定方法を示すフローチャートである。
【図１７】第３の実施形態における異物除去動作の判定方法を示すフローチャートである。
【図１８】第４の実施形態における異物除去動作の判定方法を示すフローチャートである。
【図１９】光学ローパスフィルタ上に付着した異物を除去する装置の別の形態の概略図である。
【図２０】光学ローパスフィルタ上に付着した異物を除去する装置の別の形態の概略図である。
【図２１】光学ローパスフィルタ上に付着した異物を除去する装置のさらに別の形態の概略図である。
【図２２】光学ローパスフィルタ上に付着した異物を除去する装置のさらに別の形態の概略図である。
【符号の説明】
【０１４５】
１  カメラ本体
１ａ  グリップ部
２  マウント部
４  レンズロック解除ボタン
５  ミラーボックス
６  クイックリターンミラー
７  シャッタボタン
８  メイン操作ダイヤル
９  液晶表示部
１０  動作モード設定ボタン
１１  ストロボユニット
１２  シュー溝
１３  ストロボ接点
１４  撮影モード設定ダイヤル
１５  外部端子蓋
１６  ビデオ信号出力用ジャック
１７  ＵＳＢ出力用コネクタ
１８  ファインダー接眼窓
１９  カラー液晶モニタ
２０  サブ操作ダイヤル
２１  マウント接点
２２  ペンタプリズム
３０  サブミラー
３１  焦点検出用センサユニット
３２  機械フォーカルプレーンシャッタ
３３  撮像素子
３４  クランプ／ＣＤＳ（相関二重サンプリング）回路
３５  ＡＧＣ回路（自動利得調整装置）
３６  Ａ／Ｄ変換器
３７  バッファメモリ
３８  メモリコントローラ
３９  メモリ
４０  外部インタフェース
４１  ファインダ内液晶表示装置
４２  電源部
４３  メインスイッチ
４４  クリーニング指示操作部材
４５  測光センサ
４６  接眼レンズ
４７  フォーカシングスクリーン
７１  測光エリア
１００  ＭＰＵ
１００ａ  ＥＥＰＲＯＭ
１０１  ミラー駆動部
１０２  焦点検出回路
１０３  シャッタ駆動回路
１０４  映像信号処理回路
１０５  スイッチセンス回路
１０６  測光回路
１０７  ＬＣＤ駆動回路
１０８  バッテリチェック回路
１０９  時刻計測回路
１１０  電源供給回路
１１１  圧電素子駆動回路
１１２  カラー液晶駆動回路
２００  撮影レンズ
２０１  レンズ制御回路
２０２  ＡＦ駆動部
２０３  絞り駆動部
２０４  絞り
３００  本体シャーシ
４００  撮像ユニット
４１０  光学ローパスフィルタ
４２０  光学ローパスフィルタ保持部材
４３０  圧電素子
４４０  付勢部材
４５０  弾性部材
４６０  規制部材
４７０  光学ローパスフィルタ保持ユニット
５００  撮像素子保持ユニット
５１０  撮像素子保持部材
５２０  ゴムシート
５３０  段ビス
【図１】
2008236670.tif 000003
【図２】
2008236670.tif 000004
【図３】
2008236670.tif 000005
【図４】
2008236670.tif 000006
【図５】
2008236670.tif 000007
【図６】
2008236670.tif 000008
【図７】
2008236670.tif 000009
【図８】
2008236670.tif 000010
【図９】
2008236670.tif 000011
【図１０】
2008236670.tif 000012
【図１１】
2008236670.tif 000013
【図１２】
2008236670.tif 000014
【図１３】
2008236670.tif 000015
【図１４】
2008236670.tif 000016
【図１５】
2008236670.tif 000017
【図１６】
2008236670.tif 000018
【図１７】
2008236670.tif 000019
【図１８】
2008236670.tif 000020
【図１９】
2008236670.tif 000021
【図２０】
2008236670.tif 000022
【図２１】
2008236670.tif 000023
【図２２】
2008236670.tif 000024